(57)【要約】【課題】  ＥＶＡスポンジの粘着可能な立体字体を提供する。【解決手段】  ＥＶＡスポンジの粘着可能な立体字体は、字体層１１と、粘着糊層１２と、離型紙１３とを備える、ＥＶＡスポンジの粘着可能な立体字体である。該字体層１１は、ＥＶＡスポンジから作られ、且つ一字型の形状であり、該粘着糊層１２は、該字体層１１の背部に付着し、該離型紙１３は、該粘着糊層１２の上に貼り被せられる。該離型紙１３を剥がした後で、粘着糊層１２によって、字型の形状の字体層１１を固定物の上に貼り留めることが可能である。使用者は只離型紙１３を剥ぎ離して固定物に貼るだけでよいので、使用上では非常に便利である。ＥＶＡスポンジで形成された字体層１１は厚さがあるので、字型の立体美観を表すことができる。ＥＶＡスポンジの成形材料を使用しているので油圧機で成形することができ、大量生産ができ、経済効益が高い。【選択図】  図１
0003108711.tif 000002
【実用新案登録請求の範囲】
【請求項１】
字体層と、粘着糊層と、離型紙とを備えるＥＶＡスポンジの粘着可能な立体字体であって、
該字体層は、ＥＶＡスポンジから作られ、且つ一字型の形状であり、
該粘着糊層は、該字体層の背部に付着し、
該離型紙は、該粘着糊層の上に貼り被せられ、
該離型紙を剥がした後、粘着糊層によって、字型の形状の字体層を固定物の上に貼り留めることが可能であることを特徴とするＥＶＡスポンジの粘着可能な立体字体。
【考案の詳細な説明】
【技術分野】
【０００１】
本考案は、粘着可能な立体字体に関し、特にＥＶＡ〔エチレン  ビニール  アセテート(ＥＴＨＹＬＥＮＥ  ＶＩＮＹＬ  ＡＣＥＴＡＴＥ)〕スポンジを材料にして、成型製作された粘着可能な立体字体に関する。
【背景技術】
【０００２】
私達は特別の祭典、例えばクリスマス、宴会の際に、門或いは壁に慶祝、歓楽、祝福の文句を書いた紙を貼る。中国伝統文化の式典、例えば正月の時では、各家庭の門、室内の壁に吉祥、祝福等の文句を代表する門の貼り紙、正月の貼り紙を張りつけ祝いをする。この慶祝、祝福歓迎を表す貼り紙は一般には、印刷の方式で、或いは毛筆に墨をつけて書かれている。しかし、このような門の貼り紙、正月の貼り紙、慶祝歓迎文句などと書いた又は印刷した字は只平面状態であるので、立体的な美しさの感じが欠乏している。
【０００３】
そして又現在応用されている立体造型の字体は、一般には木材彫刻し、彫刻が完成した後にこの木製の立体字型に接着剤をつけて固定物の上に粘着させるものである。或いは鉄のくぎで固定物の上に打ち留めるものである。
【考案の開示】
【考案が解決しようとする課題】
【０００４】
しかしながら、上記のような従来技術は、木材を彫刻して作る立体字型が必ず一字一字人手で彫刻するので、製造上極めて時間がかかり、大量生産ができず、且つコストが極めて高いのが欠点である。
本考案は上記の点を解決するためになされたものであり、ＥＶＡスポンジの粘着可能な立体字体を提供する。
【課題を解決するための手段】
【０００５】
本考案のＥＶＡスポンジの粘着可能な立体字体は、字体層と、粘着糊層と、離型紙とを備え、字体層の背後に粘着糊層があって、字体層が完全に固定物に貼り留められる。使用者は只離型紙を剥ぎ離して固定物に貼るだけでよいので、使用上では非常に便利である。ＥＶＡスポンジで形成された字体層は厚さがあるので、字型の立体美観を表すことができる。ＥＶＡスポンジの成形材料を使用しているので油圧機で成形することができ、大量生産ができ、経済効益が高い。
【考案を実施するための最良の形態】
【０００６】
以下、図面に従って本考案の実施例を説明する。
図１から図３を参照すると、本考案の一実施例によるＥＶＡスポンジの粘着可能な立体字体は字体層１１、粘着糊層１２及び離型紙１３を含む。
該字体層１１はＥＶＡスポンジで作られている。
【０００７】
該粘着糊層１２は該字体層１１の背部に付着している。
離型紙１３は該粘着糊層１２の上に貼り被せられている。
この中の該字体層１１が表している字型は、「あ」等のような単一字音、或いは単字、或いは一般の広告、祝福用文句の中の文句であってもよい。これで使用者が該離型紙１３を剥ぎ取った後は、粘着糊層１２で字体層１１の字型を壁、門等の固定物上に貼ることできて、門貼り紙、正月貼り紙、広告看板など上の使用字体を立体的に表すことができる。
【０００８】
本実施例のＥＶＡスポンジ〔エチレン  ビニール  アセテート（ＥＴＨＹＬＥＮＥ  ＶＩＮＹＬ  ＡＣＥＴＡＴＥ、ＥＶＡと略称）〕の粘着可能な立体字体の製作上では、一枚のＥＶＡスポンジの一つの側面に一層の粘着糊層１２を付着させ、並びに該粘着糊層１２の上に一層の離型紙１３を被せた後に、油圧機でプレス成形する。ＥＶＡスポンジ層に形成された字体層１１と粘着糊層１２及び離型紙１３とは同じ一つの字型の形状になっている。しかし、本考案はプレス、カット成形であるとは制限しない。シャーカット方式成形、或いはナイフカット成形による成形方式に対しては制限しない。
【０００９】
上記で述べた粘着糊層１２が全部が字体層１１の背部に付着するか、或いは只局部的に字体層１１の背部に付着するかは、制限しない。
本実施例の字体層１１が表す字型が英文字体、現在市場上で習用の字型、例えば図１に示した「あ」の字型、その他の例えば「Merry X mas」、「福」、「大家恭喜（皆さんおめでとうございますの意味）」等の字型、或いはその他の広告用字であるとは、制限しない。
【００１０】
応用上では、使用者が只図３、図４に示したように背面の離型紙１３を剥したら、字体層１１の背面の全面の粘着糊層１２によって門上、壁上等に貼り付けることができる。該粘着糊層１２が字体層１１の背面全体に付けられているので、字体層１１の各所を固く貼り付けることができ、該字体層１１の貼り付けは極めて堅固で該字体層１１は容易に剥れ落ちない。
【００１１】
本実施例のＥＶＡスポンジの粘着可能な立体字体の構造の特徴として、ＥＶＡスポンジで作られ且つ字型状になっている字体層１１の背面に粘着糊層１２があって、該粘着糊層１２の外側に一層の離型紙１３が被せられているので、応用上で下記の利点がある。
１．字体層１１の背後には粘着糊層１２が全体的にあるので、字体層１１を完全に固定物上に固く貼り留めることができる。
【００１２】
２．使用者は只離型紙１３を剥しただけで使用できるので、又別に糊を付ける必要がなく使用上では極めて便利である。
３．ＥＶＡスポンジで形成された字体層１１は、厚さがあるので、字型の立体美感を表すことができ、現在一般の毛筆で書かれた平面字体よりもすぐれている。
【００１３】
４．ＥＶＡスポンジの成型材料は油圧機のプレス成型によって、快速で大量に生産することできるので、コストが低い。
特に強調することとして、本実施例が示した構造、形状を改造して応用することは、本考案の明細書と図面を含む範囲である場合には、すべて本考案の範囲と見なすべきである。
【図面の簡単な説明】
【００１４】
【図１】本考案の一実施例による立体字体を示す立体図である。
【図２】図１の２−２線方向の断面図である。
【図３】本考案の一実施例による離型紙を剥した状態を示す立体図である。
【図４】本考案の一実施例による立体字体を示す平面図である。
【符号の説明】
【００１５】
１１  字体層、１２  粘着糊層、１３  離型紙
【図１】
0003108711.tif 000003
【図２】
0003108711.tif 000004
【図３】
0003108711.tif 000005
【図４】
0003108711.tif 000006